(57)【特許請求の範囲】
【請求項１】
フロントケースとリアケースとの間に、電極が形成された少なくとも１枚の基板を有する表示パネルを保持するように構成された平面パネル表示装置であって、
前記フロントケースは前記表示パネルの外周に配置される側壁を有しており、該側壁の内面には、少なくとも前記表示パネルの配線導出側面に対面する側壁に隣接して相対する両側面に、ケース内方側に張り出した位置決め突起が設けられており、前記位置決め突起は前記表示パネルの挿入方向に沿って張り出し高さが徐々に大きくなるように形成された勾配面を備え、該勾配面の先端縁が前記表示パネルの基板のスクライブライン側に形成された縁部若しくはその近傍に接して該表示パネルの位置決めをするように構成されたことを特徴とする平面パネル表示装置。
【請求項２】
前記配線導出側面の側壁を除く前記フロントケースの３つの側壁に、前記位置決め突起が設けられたことを特徴とする請求項１に記載の平面パネル表示装置。
【請求項３】
前記フロントケースの全ての側壁に、前記位置決め突起が設けられたことを特徴とする請求項１に記載の平面パネル表示装置。
【請求項４】
前記フロントケースは、前記位置決め突起が前記表示パネルの１辺に対し２個以上対応するように構成された辺を少なくとも１つ有することを特徴とする請求項２または３に記載の平面パネル表示装置。
【請求項５】
前記位置決め突起は、前記側壁の略厚み方向に弾性変形可能に構成されたことを特徴とする請求項１から４の何れかに記載の平面パネル表示装置。
【請求項６】
前記位置決め突起は、一端部と他端部との両端によって支持された両端支持構造であることを特徴する請求項１から５の何れかに記載の平面パネル表示装置。
【請求項７】
前記位置決め突起は、前記表示パネルの厚み方向の一端部にて支持された片支持構造であることを特徴する請求項１から５の何れかに記載の平面パネル表示装置。
【発明の詳細な説明】
【０００１】
【発明の属する技術分野】
本発明は平面パネル表示装置に関し、特に、特定のケース内に、液晶の表示パネルやバックライト、光拡散透過板等を組み込むように構成された平面パネル表示装置に関する。
【０００２】
【従来の技術】
近年における各種の電気・電子機器においては、液晶表示手段が多用されてきている。この液晶表示手段は、当然の事ながら、各種の画像を表示する液晶の表示パネルが、目視できるように固定されている。
【０００３】
この表示パネルの固定構造には、種種の形態があるが、例えば、図８に示すような構造がある。
【０００４】
図８に示す表示パネル６２は、図示しない電極が形成され、対向配置される２枚のガラス基板６４の間に液晶注入された構成である。この表示パネル６２を保護する目的で金属ケース内に収納するが、図８（断面図）に示す形態では、開口６８から液晶表示が見えるように構成されたフロントケース６１と図示しないリアケースとの間に、表示パネル６２や図示しないバックライト等をはさみ込んでフロントケース６１とリアケース（図示せず）とを固定することで、適宜収納する構造である。
【０００５】
この図８に示す構造においては、表示パネル６２は、固着されず、フロントケース６１の内側に突出した突起７１や突片７２によって位置決めして固定される。すなわち、突起７１並びに突片７２が表示パネル６２の端面６２ａ，６２ｂと接触することにより、ケース内における動きが制限され（図中においては左右方向の動きが制限され）、位置決めが可能である。
【０００６】
【発明が解決しようとする課題】
図８に示すように、表示パネル６２の端面６２ａ，６２ｂと突起７１並びに突片７２とが接触する構造であると、位置決め精度が悪いという問題があった。
【０００７】
これは、表示パネル６２は、それを構成する基板、例えば、ガラス基板を、該表示パネル６２のサイズに成形するとき、大判のガラス基板、すなわちマザーガラスの一表面にスクライブラインと呼ばれる溝を形成し、このスクライブラインに沿って外力を加えて割り、表示パネル６２のサイズに応じたガラス基板６４に成形する。そして、二枚のガラス基板を、スクライブライン側を外側にして貼り合わせ二枚のガラス基板の隙間に液晶が注入されることによって表示パネル６２が形成される。
【０００８】
このために、基板の端面６２ａ，６２ｂは、図８に示すように、スクライブラインが形成された基板縁部６３付近の寸法精度が比較的高いのに比較して、それ以外の箇所は、不規則な凹凸が存在し、スクライブラインから遠くなるに従って寸法精度が低くなる。そして、表示パネル６２は、基板の端面６２ａ，６２ｂに対して突起７１並びに突片７２等が対応して位置決めされるために、表示パネル６２の位置精度が出ないという問題があった。また、突起７１，突片７２の頂部７１ａ，７２ａの位置は表示パネル６２の中央、すなわち基板の寸法精度が低い位置に配置されていた。
【０００９】
また、突起７１と突片７２との間隔寸法と表示パネル６２の寸法とは寸法差を少なくすることで、ガタ付きの少ない位置決めが可能になるが、寸法に余裕が無くなると、ケース６１内への表示パネル６２の組み込み性が悪くなり、パネル欠け等の問題もあった。
【００１０】
本発明は、上記の問題点に鑑みてなされたものであって、その目的は、液晶の表示パネルの製造時における組み込み位置精度を向上させることができると共にパネルのガタツキを最少にとどめることにより、組立性及び品質の優れた平面パネル表示装置を提供することにある。
【００１１】
【課題を解決するための手段】
本発明の請求項１に係る平面パネル表示装置は、フロントケースとリアケースとの間に、電極が形成された少なくとも１枚の基板を有する表示パネルを保持するように構成された平面パネル表示装置であって、前記フロントケースは前記表示パネルの外周に配置される側壁を有しており、該側壁の内面には、少なくとも前記表示パネルの配線導出側面に対面する側壁に隣接して相対する両側面に、ケース内方側に張り出した位置決め突起が設けられており、前記位置決め突起は前記表示パネルの挿入方向に沿って張り出し高さが徐々に大きくなるように形成された勾配面を備え、該勾配面の先端縁が前記表示パネルの基板のスクライブライン側に形成された縁部若しくはその近傍に接して該表示パネルの位置決めをするように構成されたことを特徴とし、これにより上記目的を達成することができる。
【００１２】
すなわち、フロントケースの側壁の内面には、ケース内方側に張り出した位置決め突起が設けられ、この位置決め突起が表示パネルの基板縁部で寸法精度良く構成された部位（基板のスクライブライン側に形成された縁部若しくはその近傍）に接することで、正確な位置決めをすることができる。
【００１３】
また、位置決め突起が、表示パネルの挿入方向に沿って、その張り出し高さが徐々に大きくなるような勾配面を備えていることで、表示パネルをケース内に挿入するときに、この勾配面が表示パネルの装着案内して所定の位置決めが極めて容易にできる。
【００１４】
請求項２にかかる平面パネル表示装置は、配線導出側面の側壁を除くフロントケースの３つの側壁に、位置決め突起が設けられた構成である。
【００１５】
このような構成によれば、配線部を避けるように左右に分かれて狭くなっている配線導出側面に対面する側壁部分に位置決め突起を設けずに済むため、この狭い側壁部分の構造を単純な構造にできる。
【００１６】
請求項３にかかる平面パネル表示装置は、フロントケースの全ての側壁に、位置決め突起が設けられた構成である。
【００１７】
このような構成によれば、表示パネルの前後左右何れの方向の位置決めも正確にすることができる。
【００１８】
請求項４にかかる平面パネル表示装置おいては、フロントケースは、位置決め突起が表示パネルの１辺に対し２個以上対応する辺を少なくとも１つ有するように構成されたである。
【００１９】
このような構成によれば、表示パネルを位置規制するときに、１つの辺に対して１点でなく２点以上の箇所で位置決めできるので、該表示パネルの傾きが発生しない位置決めを行うことができる。
【００２０】
請求項５にかかる平面パネル表示装置は、位置決め突起が、側壁の略厚み方向に弾性変形可能に構成されている。
【００２１】
このような構成によれば、表示パネルを装着するときに、位置決め突起が適宜変形できるので、該表示パネルの組み込み性を向上させるだけでなく、位置決め突起の対向対向間隔や表示パネルの寸法誤差があった場合にも適宜対応することができる。
【００２２】
請求項６にかかる平面パネル表示装置は、位置決め突起が、一端部と他端部との両端によって支持された両端支持構造である。
【００２３】
このように、位置決め突起はその両端が支持されてブリッジ状に突設した構成であることにより、位置決め突起中央から左右支持方向にむかって対称支持構造となり、表示パネルとの接触力が安定するだけでなく、フロントケースが比較的薄い素材にて構成されても、適当な弾性と強度を持たせることができる。
【００２４】
請求項７にかかる平面パネル表示装置は、位置決め突起が、表示パネルの厚み方向の一端部にて支持された片支持構造である。
【００２５】
このように一端側で支持された片支持構造であると、勾配面の傾斜角度設定の自由度があり、かつ弾性変形し易い構造とすることができる。
【００２６】
【発明の実施の形態】
本発明にかかる平面パネル表示装置の実施の形態を、添付図を参照して詳細に説明する。
【００２７】
図１は本発明にかかる平面パネル表示装置における第１の実施の形態の分解斜視図である。
【００２８】
また、図２は図１に示したフロントケースの内部を示す平面図である。
【００２９】
図３は、図２におけるＡ−Ａ線に沿った部分の断面図である。
【００３０】
図４は、図１に示した位置決め突起の拡大斜視図である。
【００３１】
図５は、フロントケースに表示パネルを装着するときの作用を示すための概略断面図である。
【００３２】
図６は、本発明にかかる平面パネル表示装置における第２の実施の形態の要部斜視図および断面図である。
【００３３】
図７は、本発明にかかる平面パネル表示装置における第３の実施の形態の要部斜視図および断面図である。
【００３４】
なお、以下の実施の形態ではガラス基板を用いて説明をするが、基板はガラスに限定されることなく、例えば反射型表示装置などの場合は、金属基板あるいは表面に反射膜を形成してなる樹脂基板等を用いることができる。
（第１の実施の形態）
図１に示すように、本実施の形態の平面パネル表示装置１００は、その構成を大別すると、金属製のフロントケース１と金属製のリアケース３と、表示パネル２と、平面蛍光ランプなどからなるバックライト４および拡散シート５等から構成されている。すなわち、平面パネル表示装置１００は、フロントケース１とリアケース３との間に、表示パネル２およびこの表示パネル２の背面側に拡散シート５ならびにバックライト４がはさまれて保持されるように構成されている。
【００３５】
表示パネル２は、二枚のガラス基板をスクライブライン側を外側にして貼り合わせて該二枚のガラス基板の隙間に液晶が注入され、ガラス基板の外側に偏光板が貼付けられている構成である。
【００３６】
フロントケース１は、図２にも示すように、表示パネル２の前面外周部分に対応する前面枠部１８を有し、この前面枠部１８から直角に延びて表示パネル２の辺（４辺）を囲むの側壁１ａ，１ｂ，１ｃおよび１ｄを有している。
【００３７】
そして、側壁１ａ，１ｂ，１ｃ、１ｄの内面には、ケース内方側に張り出した位置決め突起１０がそれぞれ設けられている。
【００３８】
この位置決め突起１０は、勾配面１１の先端縁１１ａが表示パネル２の基板縁部２ａまたはその近傍（基板のスクライブライン側によって形成された縁部若しくはその近傍）に接して（図３および図５参照）、フロントケース１内における表示パネル２の位置決めができるように構成されている。
【００３９】
なお、フロントケース１並びにリアケース３は、例えば厚み０．２mm〜０．４ｍｍ程度の鉄製の板材を打ち抜き加工並びに折り曲げ加工等により製造することができる。したがって、位置決め突起１０は、この打ち抜き加工時に適宜形成することができる。
【００４０】
また、フロントケース１の側壁１ａ，１ｂ，１ｃ，１ｄに設けられた各位置決め突起１０の先端縁１１ａは、上述のように表示パネル２の基板縁部２ａの近傍、すなわち、寸法精度が良く構成された部分（基板のスクライブライン側によって形成された縁部若しくはその近傍）に接するように構成されている。
【００４１】
このような位置決め構造であることによって、正確な位置決めをすることができる。これは、スクライブラインが、表示パネル２を構成するガラス基板を形成する際の切断用寸法線であることから、スクライブライン自体は寸法精度の良い切断面にて構成されている。さらに、本明細書でいうスクライブラインの近傍（図３において、ガラス基板の基板縁部２ａから特定の寸法ｈ）とは、スクライブラインの切り込み深さやガラス基板の厚さやガラス素材などの諸条件によって若干変わるが、本発明に適用する液晶の表示パネルに使用されるガラス基板の場合、ガラス基板の厚みが０．５ｍｍ〜１．１ｍｍ程度のときに、ガラス基板の基板縁部２ａからガラス基板の厚み方向に、０．２ｍｍ程度の範囲とすることができ、位置決め突起１０が該近傍に接触して位置決めすることで、位置決め精度を良好にできる。
【００４２】
本実施の形態における平面パネル表示装置１００は、フロントケース１の全ての側壁１ａ，１ｂ，１ｃ，１ｄに、位置決め突起１０が設けられた構成である。この構成によって、表示パネル２の前後左右何れの方向の位置決めも正確に配置できる。本実施の形態においては、特に、配線部６であるＦＰＣ（Ｆｌｅｘｉｂｌｅ・Ｐｒｉｎｔｅｄ・Ｃｉｒｃｕｉｔの略）が導出された表示パネル２の配線導出側面に対面する左右に分かれた側壁１ｄに隣接して相対する両側面（図２における上下側面）に、比較的大きな位置決め突起１０が設けられている。
【００４３】
なお、配線部６が導出された表示パネル２の配線導出側面に対面する左右に分かれた側壁１ｄには位置決め突起１０を設けずに、この配線導出側面の側壁１ｄを除く３つの側壁１ａ，１ｂ，１ｃのみに、位置決め突起１０が設けられた構成としても良く、配線部６であるＦＰＣの配線数が多く幅広になってしまい位置決め突起１０が形成しにくい場合などに適用することができる。
【００４４】
また、本実施の形態のように、位置決め突起１０が表示パネル２の各辺に２個対応するように設けられている（図２参照）。このように、表示パネル２の各辺に２個対応することで、表示パネル２を位置規制するとき、１つの辺に対して２箇所で位置決めでき、該表示パネル２の傾きを防止できる。
【００４５】
更に、図３から図５に示すように、本実施の形態における平面パネル表示装置１００は、位置決め突起１０が、表示パネル２の挿入方向に沿って、その張り出し高さ（図３においてケース内方への張り出し量）が徐々に大きくなった勾配面１１を備えている。そして、位置決め突起１０の最も突出した部分、すなわち、勾配面１１の先端縁１１ａは、表示パネル２の中央、基板の貼り合わせ面の位置ではなく、スクライブライン近傍の位置になるように、前面枠部１８に接近した位置に配置されている。
【００４６】
平面パネル表示装置１００を組み立てるときは、先ず、フロントケース１の中に表示パネル２を挿入する。
【００４７】
その後、表示パネル２の後方側（図１においては上側）に拡散シート５を挿入し、更に拡散シート５の後方側にバックライト４を位置させるようしてリアケース３を被せる。
【００４８】
このような組み立て形態において、上述のような勾配面１１の構成を備えていることによって、表示パネル２をフロントケース１内に挿入するときに、この勾配面１１が表示パネル２の装着案内機能を発揮することができる。
【００４９】
例えば、表示パネル２をフロントケース１に挿入するときに、比較的ラフな位置決めで挿入すると、図５の想像線にて示すように、表示パネル２の一端の縁部が勾配面１１に当接する。
【００５０】
このように表示パネル２の一端の縁部が勾配面１１に当接すると、挿入方向の力Ｆによって、勾配面１１に沿った分力ｆが生じ、表示パネル２は、図５において右方向への位置修正力が発生する。これによって表示パネル２は、所定の装着位置（図５において実線にて示す位置）に案内される。また、勾配面１１の最終端が先端部１１ａであるので、勾配面１１の案内が終わると同時に最終位置決めがなされることになる。しかも、先端部１１ａは前面枠部１８に接近しているので、表示パネル２のガラス基板のスクライブライン近傍で寸法精度が高い位置で表示パネル２を固定でき、位置決めの精度をさらに高めることができる。
【００５１】
また、本実施の形態においては、位置決め突起１０は、図４に示すように、その両端が基部１２，１２に支持されるようにして突設されたブリッジ状の構成である。このような構成であることで、位置決め突起１０が比較的大きく突出した構造とした場合であっても、該位置決め突起１０は強度のあるだけでなく、適宜弾性も備えた構成である。さらにまた、位置決め突起１０の中央から左右支持方向にむかって対称支持構造であることから、該位置決め突起１０は表示パネル２との接触力が安定し、表示パネル２の確実な保持が可能である。
【００５２】
なお、平面パネル表示装置１００の組み立ての最終段においては、リアケース３とフロントケース１とを固定する。
【００５３】
この固定構造は、例えば、位置決め突起１０の突出構造によって形成された裏面側の凹みを構成する端面４０と、リアケース３の係合突起３８との嵌合によって行われる。また、リアケース３には、バックライト４をフロントケース１側に押圧することができるように、弾性を有する押圧片３１（図１においては、４個の押圧片３１）がリアケース３内方に向かって適宜突出している。
【００５４】
したがって、リアケース３とフロントケース１とが固定された状態においては、表示パネル２は、フロントケース１の前面枠部１８に適宜押圧力によって押し付けられて保持されている。
（第２の実施の形態）
本発明の実施の形態は、図１〜図５に示した形態に限るものではなく、必要に応じて適宜変更可能である。例えば、図６に示すような位置決め突起５０を備えた平面パネル表示装置とすることもできる。
【００５５】
図６は前記第１の実施の形態における図４に示す部分と同じ部分を示した部分斜視図である。
【００５６】
なお、図６において図４と同じ構成部分については同符号を付して説明を省略する。
【００５７】
本実施の形態においては、図６の（ａ）および（ｂ）に示すように、位置決め突起５０は、フロントケース１の側壁１ａから前面枠部１８にかけて形成されている。そして、位置決め突起５０の先端部５３が前面枠部１８の付近に位置できるように構成されている。すなわち、位置決め突起５０は、緩やかな傾斜側（側壁１ａ側）の基部５２と前面枠部１８側の基部５４とによって支持された両端支持構造（表示パネルの厚み方向の両端支持構造）であって、基部５２側から先端部５３に向かってケース内方に高くなるような勾配面５１が構成されている。
【００５８】
したがって、位置決め突起５１は、その先端部５３が表示パネル２（図３参照）の基板縁部２ａ若しくはその近傍と接触できるように構成されている。
【００５９】
なお、位置決め突起５０において、基部５４から先端部５３に至る部分は適宜湾曲した構成とすることによって、図中の矢印Ｇ方向にて示す方向に弾性変形し易い構造とすることができる。
（第３の実施の形態）
図７に本発明にかかる第３の実施の形態における要部を示す。
【００６０】
なお、図７は前記第１の実施の形態における図４に示す部分と同じ部分を示した部分斜視図である。また、図７において図４と同じ構成部分については同符号を付して説明を省略する。
【００６１】
本実施の形態において、図７の（ａ）および（ｂ）に示す位置決め突起７０は、フロントケース１の側壁１ａに形成されており、前面枠部１８側に向かってケース内方に立ち上がるように且つ前面枠部１８の付近まで延びる片支持構造となっている。
【００６２】
すなわち、本実施の形態に示す位置決め突起７０は、その基部７２から先端部７３に向かってケース内方に高くなるような勾配面７１が構成されている。
【００６３】
したがって、位置決め突起７１は、その先端部７３が表示パネル２（図３参照）の基板縁部２ａ若しくはその近傍と接触できるように構成されている。
【００６４】
また、先端部７３の突出高さ（図中の矢印Ｇ方向にて示す弾性変形方向と同じ方向）は、勾配面７１の傾斜角を変えることで容易に変更できる。
【００６５】
【発明の効果】
以上述べたように、本発明の請求項１に係る平面パネル表示装置は、フロントケースとリアケースとの間に、電極が形成された少なくとも１枚の基板を有する表示パネルを保持するように構成された平面パネル表示装置で、フロントケースの側壁の内面には、ケース内方側に張り出した位置決め突起が設けられ、この位置決め突起が表示パネルの基板縁部で寸法精度が良く構成されたスクライブライン若しくはその近傍に接することで、正確な位置決めをすることができる。また、位置決め突起が、表示パネルの挿入方向に沿って、その張り出し高さが徐々に大きくなるような勾配面を備えているので、表示パネルをケース内に挿入するときに、この勾配面によって該表示パネルを装着位置に誘導でき、表示パネルの装着位置決め並びに該表示パネルの組み込み性にも優れた平面パネル表示装置を提供することができる。
【００６６】
請求項２にかかる平面パネル表示装置は、配線導出側面の側壁を除くフロントケースの３つの側壁に、位置決め突起が設けられた構成であるので、配線部を避けるように左右に分かれて狭くなっている配線導出側面の側壁部分に位置決め突起を設けずに済み、この狭い側壁部分の構造が単純になり、フロントケースの製造が容易で、歩留まりの良い平面パネル表示装置を提供することができる。
【００６７】
請求項３にかかる平面パネル表示装置は、フロントケースの全ての側壁に、位置決め突起が設けられた構成であるので、平面パネル表示装置の製造時における表示パネルの前後左右何れの方向の組み込み位置精度を向上させることができると共に、組立性にも優れた平面パネル表示装置を提供することができる。
【００６８】
請求項４にかかる平面パネル表示装置においては、フロントケースは、位置決め突起が表示パネルの１辺に対し２個以上対応するように構成された辺を少なくとも１つ有するので、表示パネルを位置規制するときに、１つの辺に対して１点でなく２点以上の箇所で位置決めでき、該表示パネルの傾きが発生しない位置決めを行うことができ、組立性に優れた平面パネル表示装置を提供することができる。
【００６９】
請求項５にかかる平面パネル表示装置は、位置決め突起が、側壁の略厚み方向に弾性変形可能に構成されているので、表示パネルを装着するときに、位置決め突起が適宜変形でき、表示パネルの組み込み性を向上させるだけでなく、位置決め突起の対向対向間隔や表示パネルの寸法誤差があった場合にも適宜対応できる組立性に優れた平面パネル表示装置を提供することができる。
【００７０】
請求項６にかかる平面パネル表示装置は、位置決め突起が、一端部と該一端部の反対側の他端部との両端によって支持された両端支持構造（位置決め突起はその両端が支持されてブリッジ状に突設した構成）であり、位置決め突起中央から左右支持方向にむかって対称支持構造とできるので、表示パネルとの接触力が安定して確実な保持が可能な位置決め突起を有する平面パネル表示装置を提供することができる。また、ケース自体が比較的薄い板材から構成された場合でも、弾性変形し易くかつ強度のある位置決め突起を備えた組立性のよい平面パネル表示装置を提供することができる。
【００７１】
請求項７にかかる平面パネル表示装置は、位置決め突起が、表示パネルの厚み方向の一端部にて支持された片支持構造であるので、先端の突出量の設定が比較的容易であり、勾配面の傾斜角度設定の自由度があり組立性のよい平面パネル表示装置を提供することができる。
【図面の簡単な説明】
【図１】本発明にかかる第１実施の形態の平面パネル表示装置の分解斜視図である。
【図２】図１に示したフロントケースの内部を示す平面図である。
【図３】図２におけるＡ−Ａ線に沿った部分の断面図である。
【図４】図１に示した位置決め突起の拡大斜視図である。
【図５】フロントケースに表示パネルを装着するときの作用を示すための概略断面図である。
【図６】本発明にかかる第２実施の形態における位置決め突起を示し、（ａ）は拡大斜視図であり、（ｂ）は（ａ）におけるＢ−Ｂ線に沿った部分の断面図である。
【図７】本発明にかかる第３実施の形態における位置決め突起を示し、（ａ）は拡大斜視図であり、（ｂ）は（ａ）におけるＢ−Ｂ線に沿った部分の断面図である。
【図８】表示パネルの従来の組立構造を示す断面図である。
【符号の説明】
１  フロントケース
１ａ，１ｂ，１ｃ，１ｄ  側壁
２  表示パネル
２ａ  基板縁部
３  リアケース
４  バックライト
５  拡散シート
６  配線部
１０，５０，７０  位置決め突起
１１  勾配面
１１ａ  先端縁
１００  平面パネル表示装置
【図１】
0003679698.tif 000002
【図２】
0003679698.tif 000003
【図３】
0003679698.tif 000004
【図４】
0003679698.tif 000005
【図５】
0003679698.tif 000006
【図６】
0003679698.tif 000007
【図７】
0003679698.tif 000008
【図８】
0003679698.tif 000009